【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】動画配信システム、動画配信装置および方法、並びにプログラム
【手続補正２】
【補正対象書類名】明細書
【補正対象項目名】特許請求の範囲
【補正方法】変更
【補正の内容】
【特許請求の範囲】
【請求項１】
品質の各種類毎に階層符号化された動画像のアクセスユニットをそれぞれパケット化して、品質の前記各種類のそれぞれに対応するパケット群であって、品質の各レベルのそれぞれに対応するパケットからなる前記パケット群をそれぞれ生成するパケット化手段と、
前記パケット化手段により生成された前記パケット群のうち、品質の所定の種類に対応するパケット群に属し、品質の所定のレベルに対応するパケットを送信する第１の通信手段と
を備える動画配信装置と、
前記動画配信装置の前記第１の通信手段により送信された前記パケットを受信する第２の通信手段と、
前記第２の通信手段により受信された前記パケットを復号する復号手段と
を備える受信端末と
からなり、
前記受信端末は、品質の前記所定の種類および前記所定のレベルを、前記動画配信装置に対してそれぞれ指定する
ことを特徴とする動画配信システム。
【請求項２】
動画像を受信端末に配信する動画配信装置において、
品質の各種類毎に階層符号化された動画像のアクセスユニットをそれぞれパケット化して、品質の前記各種類のそれぞれに対応するパケット群であって、品質の各レベルのそれぞれに対応するパケットからなる前記パケット群を生成するパケット化手段と、
前記パケット化手段により生成された前記パケット群のうち、前記受信端末により指定された品質の所定の種類に対応するパケット群に属し、前記受信端末により指定された品質の所定のレベルに対応するパケットを前記受信端末に送信する通信手段と
を備えることを特徴とする動画配信装置。
【請求項３】
前記パケット化手段によりパケット化される前記アクセスユニットは、プログレッシブ符号化方式により階層符号化されている
ことを特徴とする請求項２に記載の動画配信装置。
【請求項４】
前記受信端末は、品質の前記所定の種類として、空間解像度、画質、またはカラーコンポーネントのうちの少なくとも１つを指定し、品質の前記所定の種類についての前記所定のレベルを指定する
ことを特徴とする請求項２に記載の動画配信装置。
【請求項５】
前記受信端末は、さらに、所定の単位時間あたりに復号できる前記アクセスユニットの数を、品質の前記所定の種類と前記所定のレベルとの組の１つとして指定する
ことを特徴とする請求項４に記載の動画配信装置。
【請求項６】
品質の前記各種類毎に階層符号化された前記動画像の前記アクセスユニットをそれぞれ記憶する記憶手段をさらに備え、
前記パケット化手段は、前記記憶手段に記憶された前記アクセスユニットのそれぞれをパケット化して、前記パケット群を生成する
ことを特徴とする請求項２に記載の動画配信装置。
【請求項７】
前記通信手段は、さらに、前記受信端末により指定された品質の前記所定の種類および前記所定のレベルを含む所定の情報が前記受信端末から送信されてきた場合、その所定の情報を受信し、
前記通信手段により受信された前記所定の情報に含まれる品質の前記所定の種類に基づいて、前記動画像を、アクセスユニットを単位として、品質の各レベル毎に階層符号化する符号化手段を前記動画配信装置はさらに備え、
前記パケット化手段は、前記符号化手段により階層符号化された前記アクセスユニットをパケット化して、前記各レベルのそれぞれに対応するパケットからなるパケット群を生成し、
前記通信手段は、前記パケット化手段により生成された前記パケット群に属する前記各パケットのうちの、自分自身が先に受信した前記所定の情報に含まれる品質の前記所定のレベルに対応するパケットを前記受信端末に送信する
ことを特徴とする請求項２に記載の動画配信装置。
【請求項８】
前記通信手段は、ネットワークを介して前記受信端末と相互に接続しており、
前記ネットワークの状況を監視する監視手段を前記動画配信装置はさらに備え、
前記符号化手段は、さらに、前記監視手段により監視された前記ネットワークの状況に基づいて、前記動画像を、前記アクセスユニットを単位として階層符号化する
ことを特徴とする請求項７に記載の動画配信装置。
【請求項９】
動画像を受信端末に配信する動画配信装置の動画配信方法において、
品質の各種類毎に階層符号化された動画像のアクセスユニットをそれぞれパケット化して、品質の前記各種類のそれぞれに対応するパケット群であって、品質の各レベルのそれぞれに対応するパケットからなる前記パケット群を生成するパケット化ステップと、
前記パケット化ステップの処理により生成された前記パケット群のうち、前記受信端末により指定された品質の所定の種類に対応するパケット群に属し、前記受信端末により指定された品質の所定のレベルに対応するパケットを前記受信端末に送信する通信ステップと
を含むことを特徴とする動画配信方法。
【請求項１０】
動画像を受信端末に配信する動画配信装置を制御するコンピュータのプログラムであって、
品質の各種類毎に階層符号化された動画像のアクセスユニットをそれぞれパケット化して、品質の前記各種類のそれぞれに対応するパケット群であって、品質の各レベルのそれぞれに対応するパケットからなる前記パケット群を生成するパケット化ステップと、
前記パケット化ステップの処理により生成された前記パケット群のうち、前記受信端末により指定された品質の所定の種類に対応するパケット群に属し、前記受信端末により指定された品質の所定のレベルに対応するパケットを前記受信端末に送信することを制御する通信制御ステップと
を含むことを特徴とするプログラム。
【手続補正３】
【補正対象書類名】明細書
【補正対象項目名】０００１
【補正方法】変更
【補正の内容】
【０００１】
【発明の属する技術分野】
本発明は、動画配信システム、動画配信装置および方法、並びにプログラムに関し、特に、異なる品質の画像を指定する複数のユーザに対して、対応する品質の画像をそれぞれ同時に配信することができるようにした動画配信システム、動画配信装置および方法、並びにプログラムに関する。
【手続補正４】
【補正対象書類名】明細書
【補正対象項目名】００２１
【補正方法】変更
【補正の内容】
【００２１】
【問題を解決するための手段】
本発明の動画配信システムは、品質の各種類毎に階層符号化された動画像のアクセスユニットをそれぞれパケット化して、品質の各種類のそれぞれに対応するパケット群であって、品質の各レベルのそれぞれに対応するパケットからなるパケット群をそれぞれ生成するパケット化手段と、パケット化手段により生成されたパケット群のうち、品質の所定の種類に対応するパケット群に属し、品質の所定のレベルに対応するパケットを送信する第１の通信手段とを備える動画配信装置と、動画配信装置の第１の通信手段により送信されたパケットを受信する第２の通信手段と、第２の通信手段により受信されたパケットを復号する復号手段とを備える受信端末とからなり、受信端末は、品質の所定の種類および所定のレベルを、動画配信装置に対してそれぞれ指定することを特徴とする。
【手続補正５】
【補正対象書類名】明細書
【補正対象項目名】００２２
【補正方法】変更
【補正の内容】
【００２２】
本発明の動画像配信システムにおいては、品質の各種類毎に階層符号化された動画像のアクセスユニットがそれぞれ動画配信装置によりパケット化されて、その結果として、品質の各種類のそれぞれに対応するパケット群であって、品質の各レベルのそれぞれに対応するパケットからなるパケット群のそれぞれが生成される。受信端末により品質の所定の種類および所定のレベルが動画配信装置に対してそれぞれ指定されると、指定された品質の所定の種類に対応するパケット群に属し、指定された品質の所定のレベルに対応するパケットが受信端末に送信される。受信されたパケットは受信端末により復号される。
【手続補正６】
【補正対象書類名】明細書
【補正対象項目名】００２３
【補正方法】変更
【補正の内容】
【００２３】
本発明の動画配信装置は、動画像を受信端末に配信する動画配信装置であって品質の各種類毎に階層符号化された動画像のアクセスユニットをそれぞれパケット化して、品質の各種類のそれぞれに対応するパケット群であって、品質の各レベルのそれぞれに対応するパケットからなるパケット群を生成するパケット化手段と、パケット化手段により生成されたパケット群のうち、受信端末により指定された品質の所定の種類に対応するパケット群に属し、受信端末により指定された品質の所定のレベルに対応するパケットを受信端末に送信する通信手段とを備えることを特徴とする。
【手続補正７】
【補正対象書類名】明細書
【補正対象項目名】００２４
【補正方法】変更
【補正の内容】
【００２４】
パケット化手段によりパケット化されるアクセスユニットは、プログレッシブ符号化方式により階層符号化されているようにすることができる。
【手続補正８】
【補正対象書類名】明細書
【補正対象項目名】００２５
【補正方法】変更
【補正の内容】
【００２５】
受信端末は、品質の所定の種類として、空間解像度、画質、またはカラーコンポーネントのうちの少なくとも１つを指定し、品質のその所定の種類についての所定のレベルを指定するようにすることができる。
【手続補正９】
【補正対象書類名】明細書
【補正対象項目名】００２６
【補正方法】変更
【補正の内容】
【００２６】
受信端末は、さらに、所定の単位時間あたりに復号できるアクセスユニットの数を、品質の所定の種類と所定のレベルとの組の１つとして指定するようにすることができる。
【手続補正１０】
【補正対象書類名】明細書
【補正対象項目名】００２７
【補正方法】変更
【補正の内容】
【００２７】
品質の各種類毎に階層符号化された動画像のアクセスユニットをそれぞれ記憶する記憶手段をさらに設け、パケット化手段は、記憶手段に記憶されたアクセスユニットのそれぞれをパケット化して、パケット群を生成するようにすることができる。
【手続補正１１】
【補正対象書類名】明細書
【補正対象項目名】００２８
【補正方法】変更
【補正の内容】
【００２８】
通信手段は、さらに、受信端末により指定された品質の所定の種類および所定のレベルを含む所定の情報が受信端末から送信されてきた場合、その所定の情報を受信し、通信手段により受信された所定の情報に含まれる品質の所定の種類に基づいて、動画像を、アクセスユニットを単位として、複数のレベル毎に階層符号化する符号化手段を動画配信装置はさらに設け、パケット化手段は、符号化手段により階層符号化されたアクセスユニットをパケット化して、各レベルのそれぞれに対応するパケットからなるパケット群を生成し、通信手段は、パケット化手段により生成されたパケット群に属する前記各パケットのうちの、自分自身が先に受信した所定の情報に含まれる品質の所定のレベルに対応するパケットを受信端末に送信するようにすることができる。
【手続補正１２】
【補正対象書類名】明細書
【補正対象項目名】００２９
【補正方法】変更
【補正の内容】
【００２９】
通信手段は、ネットワークを介して受信端末と相互に接続しており、ネットワークの状況を監視する監視手段を動画配信装置はさらに設け、符号化手段は、さらに、監視手段により監視されたネットワークの状況に基づいて、動画像を、アクセスユニットを単位として階層符号化するようにすることができる
【手続補正１３】
【補正対象書類名】明細書
【補正対象項目名】００３０
【補正方法】変更
【補正の内容】
【００３０】
本発明の動画配信方法は、動画像を受信端末に配信する動画配信装置の動画配信方法であって、品質の各種類毎に階層符号化された動画像のアクセスユニットをそれぞれパケット化して、品質の各種類のそれぞれに対応するパケット群であって、品質の各レベルのそれぞれに対応するパケットからなるパケット群を生成するパケット化ステップと、パケット化ステップの処理により生成されたパケット群のうち、受信端末により指定された品質の所定の種類に対応するパケット群に属し、受信端末により指定された品質の所定のレベルに対応するパケットを受信端末に送信する通信ステップとを含むことを特徴とする。
【手続補正１４】
【補正対象書類名】明細書
【補正対象項目名】００３１
【補正方法】変更
【補正の内容】
【００３１】
本発明のプログラムは、動画像を受信端末に配信する動画配信装置を制御するコンピュータのプログラムであって、品質の各種類毎に階層符号化された動画像のアクセスユニットをそれぞれパケット化して、品質の各種類のそれぞれに対応するパケット群であって、品質の各レベルのそれぞれに対応するパケットからなるパケット群を生成するパケット化ステップと、パケット化ステップの処理により生成されたパケット群のうち、受信端末により指定された品質の所定の種類に対応するパケット群に属し、受信端末により指定された品質の所定のレベルに対応するパケットを受信端末に送信する通信ステップとを含むことを特徴とする。
【手続補正１５】
【補正対象書類名】明細書
【補正対象項目名】００３２
【補正方法】変更
【補正の内容】
【００３２】
本発明の動画配信装置および方法、並びにプログラムにおいては、品質の各種類毎に階層符号化された動画像のアクセスユニットがそれぞれパケット化されて、その結果、品質の各種類のそれぞれに対応するパケット群であって、品質の各レベルのそれぞれに対応するパケットからなるパケット群が生成される。そして、受信端末により指定された品質の所定の種類に対応するパケット群に属し、受信端末により指定された品質の所定のレベルに対応するパケットが受信端末に送信される。
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】